(57)【要約】【課題】ＴＳのパケット単位でのデータ転送はもちろんのこと、ＥＳデータ転送方式の場合でも、回路規模の増大を招くことなく１系統のＡＶインタフェースのみで転送を行うことができるトランスポートストリーム処理装置を提供することを目的とする。【解決手段】トランスポートデコーダからＡＶデコーダにストリームデータを転送する場合、パケットデータの場合はパケットデータの転送期間をすべて有効とし、ＥＳデータの場合は、パケットデータのうち、同期バイトと、ＰＴＳと、ＥＳの転送期間を有効とする制御信号を持ち、ＥＳデータの場合は、同期バイト部分をＥＳデータが映像か音声かを識別するＡＶ識別情報と置き換えるＡＶインタフェースを設ける。【選択図】  図１
2004328363.tif 000002
【特許請求の範囲】
【請求項１】
トランスポートストリームから必要なトランスポートパケットをフィルタ処理するＰＩＤフィルタと、トランスポートストリームからＰＥＳを抽出するためのＰＳＥ抽出手段と、ＰＥＳからＰＴＳを抽出するＰＴＳ抽出手段と、ＰＥＳからＥＳを抽出するＥＳ抽出手段と、トランスポートストリームをパケットデータとして伝送するか、ＥＳとして伝送するかを選択する選択手段と、ＡＶデコーダにストリームデータを転送する場合、パケットデータの場合はパケットデータの転送期間をすべて有効とし、ＥＳデータの場合は、パケットデータのうち、同期バイトと、ＰＴＳと、ＥＳの転送期間を有効とする制御信号を持ち、ＥＳデータの場合は、同期バイト部分をＥＳデータが映像か音声かを識別するＡＶ識別情報と置き換えるＡＶインタフェースとを備えることを特徴とするトランスポートストリーム処理装置。
【請求項２】
前記ＡＶインタフェースにおいて、ＥＳデータの代わりにＰＥＳデータを転送する場合、同期バイトとＰＥＳの転送期間を有効とする制御信号を持つことを特徴とする請求項１記載のトランスポートストリーム処理装置。
【請求項３】
前記ＡＶインタフェースにおいて、複数番組を転送する場合、ＡＶ識別情報に、映像か音声を識別するだけでなく、番組情報を付加することを特徴とする請求項１、２記載のトランスポートストリーム処理装置。
【発明の詳細な説明】
【０００１】
【発明の属する技術分野】
本発明は、主としてデジタル映像の放送受信装置や蓄積装置に装備されるＴＳ処理装置に関るものであり、特にＡＶデコーダとの接続性を考慮したＴＳ処理装置を提供するものである。
【０００２】
【従来の技術】
デジタルテレビ放送が始まり、デジタル映像技術の商品化が進んでいる。これらの商品では、デジタル映像の取り扱いについてはＭＰＥＧ（Ｍｏｖｉｎｇ  Ｐｉｃｔｕｒｅ  Ｅｘｐｅｒｔｓ  Ｇｒｏｕｐ）の規格に沿って、映像データを大きさの決まったパケットとして伝送およびその他の処理を行う。
【０００３】
図５に、ＭＰＥＧ方式を用いたデータの伝送システムを示す。デジタルテレビ放送は、チューナ１００で受信してＭＰＥＧの規格のトランスポートストリーム（以下ＴＳ）に変換され、ＴＳにスクランブル（ＭＵＬＴＩ２等の暗号化方式）がかかっている場合は、デスクランブラ２００により暗号を解き、平文のＴＳとする。平文のＴＳはトランスポートデコーダ３００にてＡＶデータのみを抽出して、ＡＶデコーダ４００へと転送する。
【０００４】
ここで、図６、図７を用いて、トランスポートデコーダ３００でのＴＳの処理内容について説明する。図６はＴＳの構造である。ＴＳはそれぞれが１８８バイト毎のトランスポートパケットの連なりからなる。それぞれのトランスポートパケットは、パケットのＩＤ情報であるＰＩＤを含むＴＳヘッダ、実際のＡＶデータ（エレメンタリストリーム、以下ＥＳ）を含むＰＥＳヘッダからなる。
【０００５】
トランスポートデコーダ３００からＡＶデコーダ４００にＡＶデータを転送するには２つの手法がある。第１は、映像と音声のＴＳパケットとして転送する手法である。この場合、ＡＶデコーダ側でＰＩＤから、映像と音声のＥＳを抽出して、ＡＶデコードし、さらにＰＴＳを抽出することで、ＡＶ同期を取る。
【０００６】
第２の手法としては、トランスポートデコーダ３００でＥＳを抽出し、ＰＴＳを付与して、ＡＶデコーダ４００に転送する方法である。
【０００７】
この２つの手法は、ＡＶデコーダ４００の仕様にあわせて、トランスポートデコーダ３００で制御する必要がある。
【０００８】
上記の２つの手法について、それぞれの長所、短所について、図８を用いて説明する。
【０００９】
第１の手法の場合を図８（ａ）に示す。トランスポートデコーダ３００からＡＶデコーダ４００へはＴＳでデータ転送するため、映像と音声を同じ伝送路で転送することが可能となるが、ＡＶデコーダ４００で、映像と音声のパケットを区別して、ＥＳとＰＴＳを抽出する必要がある。
【００１０】
第２の手法の場合を図８（ｂ）に示す。トランスポートデコーダ３００からＡＶデコーダ４００へはＰＴＳを付与したＥＳで転送するため、ＡＶデコーダ４００での処理は軽減されるが、映像用と音声用の伝送路を２つ確保する必要がある。また、ＰＴＳを付与したＥＳで転送するのではなく、ＰＥＳでデータ転送する場合も同様である。この場合は、ＡＶデコーダ４００でＰＴＳとＥＳを抽出する必要がある。
【００１１】
次に図９を用いて、トランスポートデコーダ３００とＡＶデコーダ４００の伝送する場合の実際の信号について説明する。
【００１２】
第１のパケット伝送方式の場合は、データ信号（ｄａｔａ）、ストローブ信号（ｓｔｒｂ）、データ有効信号（ｖａｌｉｄ）、同期信号（ｓｙｎｃ）からなる。
【００１３】
データ信号は、ＴＳデータ（バイト単位）、ストローブ信号は、立上りエッジのときにＴＳデータが有効であることを示す。データ有効信号はストローブ信号の立上りエッジが有効か無効かを示す。この場合はデータ有効信号がＨのときのストローブ信号の立上りエッジのときのデータが有効となる。また、同期信号はパケットデータの先頭であることを示す。同期信号から１８８クロックで１つのパケットデータ（１８８バイト）となる。
【００１４】
第２のＥＳ伝送方式の場合は、データ信号（ｄａｔａ）、ストローブ信号（ｓｔｒｂ）、データ有効信号（ｓｙｎｃ）を用いる。信号の使用方法はパケット伝送方式と同様である。
【００１５】
これらの技術に関しては、特許文献１を参照されたい。
【００１６】
【特許文献１】
特開２０００−３４１５９７号公報
【００１７】
【発明が解決しようとする課題】
上記のような構成からなるＴＳ処理装置において、１つの番組をＡＶデコーダ４００で処理する場合は、伝送路が第１の方法では映像と音声パケットをＴＳで伝送するので、ＡＶインタフェースは１系統のみ必要となり、第２の方法では映像と音声のＥＳを転送するので、ＡＶインタフェースは２系統必要となる。例えば３つの番組をＡＶデコーダ４００に同時に伝送する場合（ＴＶモニタに３チャンネル同時表示）は、ＡＶインタフェースとしてそれぞれ１系統、６系統となり、第１の伝送方式が有利になるが、ＡＶデコーダ４００での負担、すなわち、パケットを識別して、映像と音声パケットに分け、ＰＴＳとＥＳを抽出する処理は増えることになるという問題点を有していた。
【００１８】
本発明は上記従来の問題点を解決するもので、ＴＳのパケット単位でのデータ転送はもちろんのこと、ＥＳデータ転送方式の場合でも、回路規模の増大を招くことなく１系統のＡＶインタフェースのみで転送を行うことができるトランスポートストリーム処理装置を提供することを目的とする。
【００１９】
【課題を解決するための手段】
本発明は上記の課題を解決するために、トランスポートストリームから必要なトランスポートパケットをフィルタ処理するＰＩＤフィルタと、トランスポートストリームからＰＥＳを抽出するためのＰＳＥ抽出手段と、ＰＥＳからＰＴＳを抽出するＰＴＳ抽出手段と、ＰＥＳからＥＳを抽出するＥＳ抽出手段と、トランスポートストリームをパケットデータとして伝送するか、ＥＳとして伝送するかを選択する選択手段と、ＡＶデコーダにストリームデータを転送する場合、パケットデータの場合はパケットデータの転送期間をすべて有効とし、ＥＳデータの場合は、パケットデータのうち、同期バイトと、ＰＴＳと、ＥＳの転送期間を有効とする制御信号を持ち、ＥＳデータの場合は、同期バイト部分をＥＳデータが映像か音声かを識別するＡＶ識別情報と置き換えるＡＶインタフェースとを備えた構成である。
【００２０】
【発明の実施の形態】
（実施の形態１）
図１に本発明の実施の形態１におけるトランスポートデコーダの構成図を示す。１００はデジタル放送チューナ、２００はＴＳにスクランブル（ＭＵＬＴＩ２等の暗号化方式）がかかっている場合に暗号を解き、平文のＴＳとするためのデスクランブラ、３００はＡＶデコーダ４００に、必要なＡＶデータを転送するためのデータを、ＴＳから抽出・処理するためのトランスポートデコーダである。チューナ１００、デスクランブラ２００、ＡＶデコーダ４００は従来技術での説明と同じである。
【００２１】
トランスポートデコーダ３００は、ＴＳパケットからＴＳヘッダのＰＩＤを比較して必要なパケットを抽出するためのＰＩＤフィルタ３１０、ＴＳパケットからＰＥＳ部分を抜き出すＴＳ／ＰＥＳ変換部３２０、ＰＥＳからＰＴＳを抽出するＰＴＳ抽出部３３０、ＰＥＳからＥＳ部分を抜き出すＥＳ変換部３４０、ＡＶデコーダ４００に対してＴＳパケットで転送するのか、ＥＳで転送するのかを、デジタル放送受信機の制御部門（図示せず）から指示され、データを切り換えるセレクタ３５０、転送データ（ＴＳパケット／ＥＳ）によって、ＡＶデコーダ４００への転送制御を行うＡＶインタフェース３６０からなる。
【００２２】
上記トランスポートデコーダ３００を用いて、ＡＶデコーダ４００の受信可能な伝送方法に合わせて、映像と音声のＴＳパケットとして転送するパケット伝送方式と、ＥＳとして転送するＥＳ伝送方式の両方に対応する。
【００２３】
すなわち、ＡＶインタフェース３６０は、両方の伝送方式に合わせて、図２に示す伝送信号を制御することで、ＡＶデコーダ４００にデータを転送する。
【００２４】
図２（ａ）はパケット伝送方式の場合で、従来例の場合と同様である。この場合のＡＶデコーダ４００を図３に示す。４１０は映像と音声のＰＩＤを識別するためのＰＩＤ識別部、４２０はパケット内のＰＴＳとＥＳを抽出するためのＰＴＳ／ＥＳ抽出部、映像用のＥＳを蓄積する映像ＥＳ蓄積部４３０、音声用のＥＳを蓄積する音声ＥＳ蓄積部４４０、映像ＥＳをデコードする映像デコーダ４５０からなる。
【００２５】
トランスポートデコーダ３００は、上記仕様を持つＡＶデコーダに対しては、パケット伝送方式を用いてデータを転送する。
【００２６】
図２（ｂ）はＥＳ伝送方式の場合である。この場合、パケットと同様の１８８バイト単位の伝送を行い、図２（ａ）のパケット伝送方式と同様の伝送単位を用いる。パケット伝送、ＥＳ伝送の互換性を持たせ、ＡＶデコーダ４００の仕様に合わせることが可能となる。
【００２７】
ＥＳ伝送の場合であっても、パケット単位での伝送を行うので、パケットの先頭に同期バイトの代わりにＡＶ識別情報を付加する。このデータのタイミングで同期信号（ｓｙｎｃ）をＨとする。
【００２８】
ＡＶ識別データは、図２（ｃ）に示すように、バイトデータとして構成される。０ビット目の０／１で映像と音声パケットを識別する。
【００２９】
また、データ有効信号（ｖａｌｉｄ）を制御することにより、ＡＶ識別データ、ＰＴＳデータの場合を有効にして、それ以外のデータの場合は、無効とすることで、パケットデータ中のＰＴＳとＥＳの有効部分だけを識別できるようにする。
【００３０】
この場合のＡＶデコーダ４００を図４に示す。パケットの先頭を検出して、映像パケットか音声パケットかを識別するＡＶ識別部４２５、映像の場合は、映像ＥＳ蓄積部４３５に蓄積して、映像デコーダ４５５でデコード処理を行う。音声の場合は、音声ＥＳ蓄積部４４５に蓄積して、音声デコーダ４６５でデコード処理を行う。ここでＰＴＳだが、映像デコーダと音声デコーダの処理のタイミングを制御するのに使用する。
【００３１】
なお、図２（ｂ）のＡＶ識別データを転送せずに（ｖａｌｉｄ信号はＬのまま）、図８（ｂ）のように映像用と音声用の２系統の伝送を行うことも可能である。
【００３２】
さらに図２（ｃ）のｂ４−ｂ５に示すように、ＥＳ伝送方式でありながら、複数番組の識別情報を付加することで、３つの番組をＡＶデコーダ４００に同時に伝送する（ＴＶモニタに３チャンネル同時表示）ことも可能となる。
【００３３】
【発明の効果】
以上のように本発明では、トランスポートデコーダのＡＶデコーダへの出力を常にパケット単位で行うことで、ＴＳのパケット単位でのデータ転送はもちろんのこと、ＥＳデータ転送方式の場合でも、回路規模の増大を招くことなく１系統のＡＶインタフェースのみで転送を行うことができる。また、トランスポートデコーダのＡＶ出力として、パケット伝送方式、ＥＳ伝送方式の両方に対応可能であるので、ＡＶデコーダの選択の幅が広がる。
【図面の簡単な説明】
【図１】本発明の実施の形態１におけるトランスポートデコーダの構成図
【図２】本発明の実施の形態１におけるトランスポートデコーダとＡＶデコーダのデータ転送についての詳細な構成図
【図３】本発明の実施の形態１におけるトランスポートデコーダを用いた場合のＡＶデコーダの構成図
【図４】本発明の実施の形態１におけるトランスポートデコーダを用いた場合のＡＶデコーダの構成図
【図５】従来のトランスポートデコーダの構成図
【図６】トランスポートストリームの詳細な構成図
【図７】トランスポートストリームの詳細な構成図
【図８】従来のトランスポートデコーダにおけるＡＶデコーダとのデータ転送についての構成図
【図９】従来のトランスポートデコーダにおけるＡＶデコーダとのデータ転送についてのタイミングチャート
【符号の説明】
１００  チューナ
２００  デスクランブラ
３００  トランスポートデコーダ
３１０  ＰＩＤフィルタ
３２０  ＴＳ／ＰＥＳ変換部
３３０  ＰＴＳ抽出部
３４０  ＥＳ変換部
３５０  セレクタ
３６０  ＡＶｉ／ｆ
４００  ＡＶデコーダ
【図１】
2004328363.tif 000003
【図２】
2004328363.tif 000004
【図３】
2004328363.tif 000005
【図４】
2004328363.tif 000006
【図５】
2004328363.tif 000007
【図６】
2004328363.tif 000008
【図７】
2004328363.tif 000009
【図８】
2004328363.tif 000010
【図９】
2004328363.tif 000011